(57)【要約】【課題】  インクジェットプリンターに搭載される装置として好適に使用できる、脱気用中空糸膜モジュール及びこれを用いた脱気装置の提供。【解決手段】  複数本の気体透過性中空糸膜が円筒状モジュールケースに収納され、該中空糸膜の両端が接着剤により接着固定され、該中空糸膜の中空部が開口した脱気用中空糸膜モジュールにおいて、該円筒状モジュールケース内径Ｒに対する該円筒状モジュールケースの長さＬの比率（Ｌ／Ｒ）が２以下である脱気用中空糸膜モジュール。上記の脱気用中空糸膜モジュールと、被脱気液体を送液するための送液機構と、液体中の溶存気体を除去するための減圧機構を有する脱気装置。【選択図】  図２
2008114170.tif 000002
【特許請求の範囲】
【請求項１】
複数本の気体透過性中空糸膜が円筒状モジュールケースに収納され、該中空糸膜の両端が接着剤により接着固定され、該中空糸膜の中空部が開口した脱気用中空糸膜モジュールにおいて、該円筒状モジュールケース内径Ｒに対する該円筒状モジュールケースの長さＬの比率（Ｌ／Ｒ）が２以下である脱気用中空糸膜モジュール。
【請求項２】
前記円筒状モジュールケースの一方の端部に前記中空糸膜中空部と連通する液体流入口を有し、他方の端部に前記中空糸膜中空部と連通する液体流出口を有する、請求項１記載の脱気用中空糸膜モジュール。
【請求項３】
前記円筒状モジュールケースの長さＬが１５０ｍｍ以下である、請求項１又は２記載の脱気用中空糸膜モジュール。
【請求項４】
前記円筒状モジュールケースの側面に排気口を有する、請求項１〜３のいずれかに記載の脱気用中空糸膜モジュール。
【請求項５】
前記液体流入口から水温２５℃、溶存酸素濃度８ｍｇ／Ｌの水を５０ｍｌ／分で通水させ、中空糸膜外周部を減圧下に保った場合において、前記液体流出口から流出する水の溶存酸素濃度を１ｍｇ／Ｌ以下とした時の、前記液体流入口と前記液体流出口間の圧力損失が４０ｍｍＨ２Ｏ以下である、請求項２〜４のいずれかに記載の脱気用中空糸膜モジュール。
【請求項６】
前記円筒状モジュールケースの少なくとも一方の端部に、前記液体流入口及び／又は前記液体流出口を有するキャップが接続され、該キャップの内面は、前記液体流入口側及び／又は前記液体流出口側を頂点とするテーパー部分を有し、該テーパー部分の角度が、前記円筒状モジュールケース端部の開口面に対して５〜２０度の範囲である、請求項１〜５のいずれかに記載の脱気用中空糸膜モジュール。
【請求項７】
請求項１〜６のいずれかに記載の脱気用中空糸膜モジュールと、被脱気液体を送液するための送液機構と、液体中の溶存気体を除去するための減圧機構を有する脱気装置。
【発明の詳細な説明】
【技術分野】
【０００１】
本発明は液体中の溶存気体を除去する脱気用中空糸膜モジュール及び脱気装置に関するものであり、特にインクジェットプリンターの印字安定性を改良するために好適に用いられるものである。
【背景技術】
【０００２】
液体中には、通常、気体が溶解しており、液体を加熱したり減圧したりすると、液体中に気泡が発生する。この気泡が種々の状況において弊害を引き起こすことがあり、液体中の溶存気体を積極的に除去する方法が従来から提案されている。
例えば、インクジェットプリンター等に利用されるインクにおいては、インク中に含まれる溶存気体が、その印刷物の解像度や鮮明さに悪影響を及ぼすことから、インク中から溶存気体を除去する必要があり、その方法として、中空糸膜を利用することが知られている（特許文献１）。
これらの中空糸膜を用いた脱気方法においては、気体透過性を有する複数の中空糸膜の中空部にインクを流し、中空糸膜の外周部を減圧に保つことにより、インク中から溶存気体を除去している。
膜を用いたインクの脱気方法は、インクを劣化させることなく高効率で溶存気体を除去することが可能であり、非常に優れた方法である。
【０００３】
インクジェットプリンターは、一般家庭から産業用まで様々な種類、大きさのものが展開されている。中でも大判の記録媒体に印刷を行う、産業用インクジェットプリンターにおいては、印刷時に大量のインク供給が必要となるため、インク供給源をプリンターとは別に設置し、チューブを介して印刷ヘッドにインクを供給する手法が取られている。このような大型のインクジェットプリンターにおいても、印字安定性のためインク中の溶存気体の除去は重要であり、印刷ヘッド手前での脱気機構の設置が提案されている（特許文献２）。
【０００４】
この大型インクジェットプリンターのインク脱気に、上述の膜を用いる方法を適用し、既存の中空糸膜モジュールをプリンター装置内に組み込むことが考えられる。しかし、特許文献１に記載されているインク脱気用中空糸膜モジュールは、インク流入口と流出口間の圧力損失が高いため、これを印刷時のインクの送液流量が通常５０ｍｌ／分以下の低流量であるインクジェットプリンターに組み込むと、インク流量の精密な制御が困難となるという問題点があった。
また、従来のインク脱気用中空糸膜モジュールは、モジュールサイズの制約が少ないインクの製造プロセスで使用されているために比較的大型であり、プリンターの一部として組み込むには、必ずしも適した形状ではなかった。
【０００５】
【特許文献１】特開平０５−０１７７１２号公報
【特許文献２】特開平１１−０４８４９３号公報
【発明の開示】
【発明が解決しようとする課題】
【０００６】
本発明は、このような状況に鑑みてなされたものであり、インクジェットプリンターのインク供給ラインに好適に組み込むことができる、脱気用中空糸膜モジュール及びこれを用いた脱気装置の提供を目的とするものである。
【課題を解決するための手段】
【０００７】
すなわち本発明の要旨は、複数本の気体透過性中空糸膜が円筒状モジュールケースに収納され、該中空糸膜の両端が接着剤により接着固定され、該中空糸膜の中空部が開口した脱気用中空糸膜モジュールにおいて、該円筒状モジュールケース内径Ｒに対する該円筒状モジュールケースの長さの比率（Ｌ／Ｒ）が２以下である脱気用中空糸膜モジュールである。
また本発明の要旨は、上記脱気用中空糸膜モジュールと、被脱気液体を送液するための送液機構と、液体中の溶存気体を除去するための減圧機構を有する脱気装置である。
【発明の効果】
【０００８】
本発明によって、十分な脱気性能を有するとともに、圧力損失が低く、気泡の抜けが良好であり、小型化が可能な脱気用中空糸膜モジュール及び脱気装置を得ることができる。
【発明を実施するための最良の形態】
【０００９】
以下本発明の脱気用中空糸膜モジュールについて、図面を基に説明する。図１に本発明の一例となる脱気用中空糸膜モジュールの模式断面図を示した。複数のスリットを有する円筒状モジュールケース１に気体透過性中空糸膜２が複数収納され、接着剤３により、気体透過性中空糸膜２が円筒状モジュールケース１の両端に固定されている。気体透過性中空糸膜２の中空部は、接着剤３の両端部で開口している。
【００１０】
また、図２は本発明の別の一例を示す脱気用中空糸膜モジュールの模式断面図である。側面に１箇所の排気口７を有する円筒状モジュールケース１に気体透過性中空糸膜２が複数収納され、接着剤３により、円筒状モジュールケース１の両端に固定されている。気体透過性中空糸膜２の中空部は、接着剤３の両端部で開口している。円筒状モジュールケース１には更に、液体流入口５又は液体流出口６を有するキャップ４が、Ｏリング８を介して液密に接続されている。
【００１１】
ここで、液体に溶存する気体を除くためには、図２に示した脱気用中空糸膜モジュールの場合、キャップ４に設けられた液体流入口５から導入した液体は、気体透過性中空糸膜２の中空内部を通過する。この時、モジュールケース１の側面に設けられた排気口を介して脱気用中空糸膜モジュール内部を減圧することにより、液体中の溶存気体が、気体透過性中空糸膜２の内表面側から外表面側に移動し、除去される。
一方、図１に示した脱気用中空糸膜モジュールの例においては、図４に示すように液体の流出入口及び中空糸膜外部からの排気を可能とする排気口を有する缶体１０にモジュールケース１を装着することで脱気することができる。モジュールケース１が多数のスリットを有することから、モジュールケース外側からの排気により内部に流れる液体の溶存気体が除去される。この時、図５に示したように複数のモジュールケース１を装着できる容器を用意し、同時に複数モジュールによる脱気を行ってもよい。同様に図２に示した脱気用中空糸膜モジュールにおいては、図６に示したように、モジュール設置用架台１１に固定用ネジ穴９を利用して固定し、複数個設置してもよい。
【００１２】
円筒状モジュールケース１の材質は、適度な機械的強度を有するとともに、インク等使用する液体に含まれる薬品に対して耐久性を有するものが良く、例えば硬質ポリ塩化ビニル樹脂、ポリカーボネート、ポリスルフォン 系樹脂、ポリプロピレン等のポリオレフィン系樹脂、アクリル系樹脂、ＡＢＳ樹脂、変性ＰＰＯ樹脂等を用いることができる。
【００１３】
気体透過性中空糸膜２は、内表面と外表面間で気体透過性を有する中空糸膜であり、内径が５０〜５００μｍの範囲にあるのが好ましく、膜厚が１０〜１５０μｍの範囲にあるのが好ましい。内径や膜厚がこの範囲内にある中空糸膜を用いることにより、中空糸膜モジュール内の圧力損失を抑制することができる傾向にあり、さらに脱気中に中空糸膜の振動等が起こっても、中空糸膜が破損することなく液体の脱気処理を継続できる傾向にある。ここで、液体を中空糸膜内部に通液して液体の脱気を行う場合、内径は大きい方が圧力損失は抑えられる。しかし、内径を大きくするとモジュールケースに充填可能な中空糸膜量が制限され、脱気性能の低下に繋がる。内径のより好ましい範囲は１００〜３００μｍである。膜厚は小さいほど優れた脱気性能が期待できるが、脱気を行う際に中空糸膜外部からの減圧操作が行う場合、この操作の繰返しに対する耐久性が中空糸膜に求められるので、ある程度の膜厚は必要である。膜厚のより好ましい範囲は３０〜８０μｍである。
【００１４】
気体透過性中空糸膜２としては、多孔質の中空糸膜や非多孔質の均質層を有する中空糸膜を用いることができる。特に、気体透過性の非多孔質層の両面に、多孔質層が配された三層構造を有する複合中空糸膜を用いると、液体の漏れが無く、かつ溶存気体の除去効率に優れた、液体の脱気を行うことができる傾向にあり好ましい。複合中空糸膜としては、非多孔質層の厚みが０．３〜２μｍの範囲であり、非多孔質層を挟んで形成される多孔質層の厚みがそれぞれ１５〜４０μｍの範囲であるものが、機械的強度が高く、破損等が発生しにくく、気体透過性も優れる傾向にあり好ましい。さらに、多孔質層の孔径が０．０１〜１μｍの範囲である複合中空糸膜を用いると、非多孔質層の微細孔内が濡れにくく、通液した液体に含まれる薬品による非多孔質層の劣化が低減されるとともに、気体の透過量が高くなる傾向にあり、より好ましい。
【００１５】
上述の非多孔質層を構成するポリマー素材としては、ガス透過性の優れたシリコンゴム系ポリマーを始めとして、ポリジメチルシロキサン、シリコンとポリカーボネートの共重合体等のシリコンゴム系ポリマー、ポリ４−メチルペンテン−１、低密度ポリエチレン等のポリオレフィン系ポリマー、パーフルオロアルキル系ポリマー等のフッ素含有ポリマー、エチルセルロース等セルロース系ポリマー、ポリフェニレンオキサイド、ポリ４−ビニルピリジン、ウレタン系ポリマー及びこれらポリマー素材の共重合体あるいはブレンドポリマー等を用いることができる。
【００１６】
また、上述の多孔質層を構成するポリマー素材としては、ポリエチレン、ポリプロピレン、ポリ３−メチルブテン−１、ポリ４−メチルペンテン−１等のポリオレフィン系ポリマー、ポリフッ化ビニリデン、ポリテトラフルオロエチレン等のフッ素系ポリマー、ポリスチレン、ポリエーテルエーテルケトン、ポリエーテルケトン等のポリマーを用いることができる。
【００１７】
気体透過性中空糸膜２として複合中空糸膜を用いる場合、非多孔質層を構成するポリマー素材と、多孔質層を構成するポリマー素材との組み合わせについては特に限定されず、異種のポリマーはもちろん、同種のポリマーであっても構わない。
【００１８】
接着剤３は、複数の中空糸膜の開口状態を保ちながら、これらの両端を固定するとともに、液体流路側と排気される気体流路側を気密に仕切る部材として機能する。接着剤３には、エポキシ樹脂、不飽和エポキシ樹脂、ポリウレタン樹脂等の液状樹脂を硬化させたものや、ポリオレフィン等を溶融、冷却固化させたものを用いることができる。
【００１９】
また、円筒状モジュールケース１への中空糸膜の充填は、モジュールケース開口面の断面積に対する中空糸膜束の充填面積（充填率）が３５％以上となるようにするのが好ましい。より好ましくは３７％以上、さらに好ましくは４０％以上である。中空糸膜の充填率を高めることにより、単位断面積当たりの中空糸膜の収容本数を高めることができるため、圧力損失を抑えると同時に中空糸膜モジュールの径を抑制できる傾向にある。一方、充填率が高すぎると、モジュール作成時の加工性が低下する傾向にあるので、充填率は５５％以下とするのが好ましい。
【００２０】
上述のように例えば、脱気用中空糸膜モジュールをインクジェットプリンターのインク供給ラインに組み込むことを考えた場合、モジュールサイズを抑えた上で、圧力損失を抑える必要がある。ここで圧力損失は、一般的に、流路の長さ、流速の二乗に比例して大きくなり、中空糸膜を管とみなした場合、管径に反比例する。
中空糸膜の内径については上述したが、一定の流量で液体を流す際の流速を低くするには、糸の充填量を多くすることが考えられる。更に流路を短くすることで圧力損失は抑えられる。一方、モジュールサイズを抑えるためには、これらの組み合わせの最適化が必要である。
本発明者らは鋭意検討した結果、図１に例示されるように、円筒状モジュールケース内径Ｒに対する、円筒状モジュールケースの長さＬの比率（Ｌ／Ｒ）を２以下とすることによって、十分な脱気性能を有するとともに、圧力損失が低く、小型化された脱気用中空糸膜モジュールを得ることができることを見出した。Ｌ／Ｒは好ましくは１．５以下であり、より好ましくは１．３以下である。
一方、Ｌ／Ｒが低くなりすぎると、液体の脱気性能を確保するための、接着剤で固定されていない有効な膜部分の面積の確保が難しくなる傾向にある。このため、Ｌ／Ｒは０．５以上とするのが好ましい。
【００２１】
また、本発明の脱気用中空糸膜モジュールをインクジェットプリンターに搭載するためには、モジュールの全長を抑えるのが好ましく、具体的には、円筒状モジュールケースの長さＬを１５０ｍｍ以下とするのが好ましい。より好ましくは１００ｍｍ以下であり、さらに好ましくは８０ｍｍ以下である。
【００２２】
さらに、図２に例示されているように、円筒状モジュールケース１とキャップ４を液密にシールするＯリング８の線径を抑えることで、中空糸膜モジュールの径を抑えることができ、本発明の脱気用中空糸膜モジュールをより小型化させることができる、Ｏリングの潰し率を使用条件に合せて一定以上の数値を確保すれば、市販の規格サイズ以外のＯリングを用いても構わない。また、潰し率を低めに設定する場合、Ｏリングを接近した場所に２本以上並列させて使用してもよい。
【００２３】
また、本発明の脱気用中空糸膜モジュールは、低流量の液体の脱気を低圧力損失で効率的に実施できるものであり、具体的には、液体流入口から水温２５℃、溶存酸素濃度８ｍｇ／Ｌの水を５０ｍｌ／分で通水させ、中空糸膜外周部を減圧下に保った場合において、前記液体流出口から流出する水の溶存酸素濃度を１ｍｇ／Ｌ以下とした時の、前記液体流入口と前記液体流出口間の圧力損失を４０ｍｍＨ２Ｏ以下とすることができるものである。この性能を達成することにより、本発明の脱気用中空糸膜モジュールをインクジェットプリンターのインク供給ラインに好適に組み込むことができる。
液体流出口から流出する水の溶存酸素濃度をさらに０．５ｍｇ／Ｌ以下、より好ましくは０．２ｍｇ／Ｌ以下とすることにより、より解像度の高い印字性能をインクジェットプリンターに付与できる傾向にある。
また、前記液体流入口と前記液体流出口間の圧力損失をさらに２０ｍｍＨ２０以下、より好ましくは１０ｍｍＨ２０以下とすることにより、より低流量の脱気を効率的に実施でき、本発明の脱気用中空糸膜モジュールをインクジェットプリンターに組み込むと、インク流量のより精密な制御ができる傾向にある。
【００２４】
円筒状モジュールケース１の少なくとも一方の端部に接続される、液体流入口及び／又は液体流出口を有するキャップ４は、この内面が、該液体流入口側及び／又は該液体流出口側を頂点とするテーパー部分を有し、該テーパー部分の角度が、円筒状モジュールケース１端部の開口面に対して、５〜２０度の範囲であるのが好ましい。
これは、キャップ４の内面がテーパーを有することにより、液体の脱気処理（通水）開始時に、元々モジュール内に存在していた空気等の気体をモジュール内に残留させることなく、モジュール外に容易に気泡として除去することができるためである。
このテーパーの角度を５度以上とすることによって、粘度の高い液体の脱気においても気泡の抜けが良好になる傾向にあり好ましい。より好ましくは１０度以上である。またテーパーの角度を２０度以下とすることによって、モジュールのサイズを抑えることができる傾向にあるので好ましい。
【００２５】
本発明の脱気用中空糸膜モジュールを用いた脱気装置の一例として、インクジェットプリンターの模式図を図７に示した。インクタンク１６〜１９から送液ポンプ２６を介して脱気用中空糸膜モジュール２０〜２３にインクが供給される。この時、脱気用中空糸膜モジュール２０〜２３側面に設けられた排気口から真空ポンプ２７に接続して運転することにより、中空糸膜外周部が減圧下に保たれ、インクの脱気が行われる。脱気処理されたインクは、インク供給チューブ１２〜１５を通り、記録ヘッド２４、２５に供給され、印字が行われる。図７において、脱気用中空糸膜モジュール２０〜２３は、インクジェットプリンターの横に設置されている形としているが、図６に示したようなモジュール設置用架台１１に複数本固定した形で記録ヘッド２４、２５手前に設置し、ヘッドの動きに合せて可動な形としてもよい。
【実施例】
【００２６】
以下、本発明について実施例を挙げて具体的に説明する。
［実施例１］
図２に示したような、モジュールケース両端に液体流出入口を有するキャップをかん合させた脱気用中空糸膜モジュールにおいて、以下の仕様のものを用意する。キャップ及びハウジングの材質はポリカーボネート樹脂を用い、内部構造が確認できるものとした。内径（Ｒ）６４ｍｍ、長さ（Ｌ）８０ｍｍのモジュールケースに、内径２００μｍ、外径２８４μｍのポリエチレン多孔質中空糸膜の膜厚中間部に厚み０．５μｍのウレタン系ポリマーから成る気体分離非多孔質層を有する気体透過性中空糸膜を、充填率４２％、中空糸膜内径換算での膜面積０．５６ｍ２となるように多数本束ね、両端の接着剤としてウレタン樹脂を使用して固定したものを用意する。このモジュールケースに図３に示したような、内面にテーパー形状を有し、角度αが１２度であるキャップをＯリング２本を介して接続する。この脱気用中空糸膜モジュールに、水温２５℃、溶存酸素濃度８ｍｇ／Ｌの原水を５０ｍｌ／分で下部流入口から中空糸膜内部に導入する。この時、側面に設けられた排気口から気密に真空ポンプに接続して、モジュール内部を減圧し、４ｋＰａに保つ。このようにしてモジュール内部を通過した処理水が上部流出口から得られる。この処理水中の溶存酸素濃度、及び通水時の圧力を測定した結果を表１に示す。この時、通水初期には、上部キャップより気泡の抜けについても確認した。
【００２７】
［実施例２］
モジュールケースの内径（Ｒ）を５４ｍｍ、長さ（Ｌ）を６０ｍｍとし、実施例１と同様の気体透過性中空糸膜を充填率４６％、膜面積０．３２ｍ２となるように、両端をウレタン樹脂で固定し、キャップ内部構造は実施例１と同等のものを使用した脱気用中空糸膜モジュールを用意する。実施例１と同条件で通水した際の、圧力損失、処理水溶存酸素濃度、気泡の抜けについて調べた結果を表１に示す。
【００２８】
［実施例３］
キャップとして図８に示したような、角度αが０度であり内部にテーパーを有さないものを使用する以外は、実施例１と同等とした脱気用中空糸膜モジュールを用意する。実施例１と同条件で通水した際の、圧力損失、処理水溶存酸素濃度、気泡の抜けについて調べた結果を表１に示す。
【００２９】
［比較例１］
モジュールケースの内径（Ｒ）を３８ｍｍ、長さ（Ｌ）を１６０ｍｍとし、実施例１と同様の気体透過性中空糸膜を充填率３５％、膜面積０．４９ｍ２となるように、両端をウレタン樹脂で固定し、キャップ内部構造は実施例１と同等のものを使用した脱気用中空糸膜モジュールを用意する。実施例１と同条件で通水した際の、圧力損失、処理水溶存酸素濃度、気泡の抜けについて調べた結果を表１に示す。
【００３０】
【表１】
2008114170.tif 000003
【００３１】
表１より、Ｌ／Ｒを２未満、キャップ内部のテーパー角度αを１２度とした実施例1及び２においては、圧力損失が１０ｍｍＨ２Ｏ未満で、気泡の抜けも良好であった。処理水の溶存酸素濃度は膜面積の少ない実施例２においては若干高めであるが、十分な脱気性能が得られている。一方、キャップの内部構造としてテーパーを設けていないキャップを使用した実施例３においては、脱気性能は良好な結果が得られているが、通水を継続しても気泡が抜けず、キャップ内で滞留したままであり、圧力損失も実施例１と比較すると若干高めであった。また、Ｌが１６０ｍｍ、Ｌ／Ｒを４とした比較例１においては、脱気性能、気泡の抜けは良好であったものの、圧力損失が高く、４０ｍｍＨ２Ｏを上回る結果であった。
【産業上の利用可能性】
【００３２】
本発明によれば、十分な脱気性能を有するとともに、圧力損失が低く、気泡の抜けが良好であり、小型化が可能な脱気用中空糸膜モジュール及び脱気装置を得ることができ、特にインクジェットプリンターの印字安定性の改良に有用なものである。
【図面の簡単な説明】
【００３３】
【図１】本発明の脱気用中空糸膜モジュールの一実施例を示す模式断面図である。
【図２】本発明の脱気用中空糸膜モジュールに関する別の実施例を示す模式断面図である。
【図３】本発明の脱気用中空糸膜モジュールに用いるキャップの一例を示す模式断面図である。
【図４】本発明の脱気用中空糸膜モジュールにおいて、図１に示すモジュールを使用した一実施例を示す模式断面図である。
【図５】本発明の脱気用中空糸膜モジュールにおいて、図１に示すモジュールを複数使用した一例を示す斜視図である。
【図６】本発明の脱気用中空糸膜モジュールにおいて、図２に示すモジュールを複数使用した一例を示す正面図である。
【図７】本発明の脱気用中空糸膜モジュールを使用した脱気装置の一例であるインクジェットプリンターの模式図である。
【図８】本発明の別の実施例として用いたキャップの一例を示す断面図である。
【図９】本発明の一実施例として図２に示した脱気用中空糸膜モジュールの正面外観図である。
【図１０】本発明の一実施例として図２に示した脱気用中空糸膜モジュールの背面外観図である。
【図１１】本発明の一実施例として図２に示した脱気用中空糸膜モジュールの左側面外観図である。
【図１２】本発明の一実施例として図２に示した脱気用中空糸膜モジュールの底面外観図である。
【符号の説明】
【００３４】
１  円筒状モジュールケース
２  気体透過性中空糸膜
３  接着剤
４  キャップ
５  液体流入口
６  液体流出口
７  排気口
８  Ｏリング
９  固定用ネジ穴
１０  缶体
１１  モジュール設置用架台
１２〜１５  インク供給チューブ
１６〜１９  インクタンク
２０〜２３  脱気用中空糸膜モジュール
２４、２５  記録ヘッド
２６  送液ポンプ
２７  真空ポンプ
【図１】
2008114170.tif 000004
【図２】
2008114170.tif 000005
【図３】
2008114170.tif 000006
【図４】
2008114170.tif 000007
【図５】
2008114170.tif 000008
【図６】
2008114170.tif 000009
【図７】
2008114170.tif 000010
【図８】
2008114170.tif 000011
【図９】
2008114170.tif 000012
【図１０】
2008114170.tif 000013
【図１１】
2008114170.tif 000014
【図１２】
2008114170.tif 000015